【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
像の領域に対する合焦の度合いを視覚的に指示する方法であって、
少なくとも１台のイメージングセンサを使用して像を検出するステップと、
前記像のグラフィカル表現を表示部に設けるステップと、
前記像の領域に対する合焦の度合いを決定するために１台以上のプロセッサの上で動作するアルゴリズムを適用するステップと、
前記像の前記グラフィカル表現上の前記領域と少なくとも部分的に重なり合う幾何学的図形を含む前記合焦の度合いの視覚的指示を前記表示部に設けるステップと、
前記視覚的指示に第１の合焦の度合いに対応する第１のサイズを設定するステップと、
焦点のユーザ調節、および、前記第１の合焦の度合いから前記第１の合焦の度合いより高い第２の合焦の度合いまでの前記決定された合焦の度合いの対応する変化に応答して、前記視覚的指示を前記第１のサイズより小さい第２のサイズに変化させるステップと、を含む方法。
【請求項２】
前記変化させるステップは、前記視覚的指示のサイズを１つ以上の中間サイズに調節することにより、前記第１のサイズから前記第２のサイズまで前記視覚的指示を移行させるステップを含み、前記中間サイズは、前記第１のサイズと前記第２のサイズとの間にあり、前記第１の合焦の度合いと前記第２の合焦の度合いとの間の中間的な合焦の度合いに対応している、請求項１に記載の方法。
【請求項３】
前記視覚的な指示は、前記第１のサイズから前記第２のサイズまでの移行の全体を通して、現在の合焦の度合いの視覚的な表現を提供する、請求項２に記載の方法。
【請求項４】
前記第１の合焦の度合いは、実質的に焦点が合っていない状態に対応し、前記第２の合焦の度合いは、実質的に焦点が合っている状態に対応している、請求項１に記載の方法。
【請求項５】
前記像の選択された第１の部分の拡大グラフィカル表現を提供するステップさらに備え、前記領域は、前記第１の部分の内部にあり、前記視覚的指示は、前記拡大グラフィカル表現の内部に設けられている、請求項１に記載の方法。
【請求項６】
前記領域と前記第１の部分とのうちの１つ以上が前記表示部のタッチ・スクリーン・インターフェースとのユーザ相互作用を介して選択される、請求項５に記載の方法。
【請求項７】
前記視覚的指示の中心が前記領域の中心と実質的に一致する、請求項１に記載の方法。
【請求項８】
前記視覚的指示は、前記像の前記グラフィカル表現と重畳される、請求項１に記載の方法。
【請求項９】
前記表示部は、デジタルカメラに含まれている、請求項１に記載の方法。
【請求項１０】
前記合焦の度合いの変化に応答して前記視覚的指示の色を変化させるステップをさらに含む、請求項１に記載の方法。
【請求項１１】
前記領域に対する前記合焦の度合いの第２の視覚的指示を設けるステップをさらに含む、請求項１に記載の方法。
【請求項１２】
前記合焦の度合いの変化に応答して前記第２の視覚的指示の色を変化させるステップをさらに含む、請求項１１に記載の方法。
【請求項１３】
前記像の第２の領域に対する合焦の度合いを決定するために前記１台以上のプロセッサの上で動作するアルゴリズムを適用するステップと、
幾何学的図形を含む、前記第２の領域に対する前記合焦の度合いの第２の視覚的指示を前記表示部に設けるステップと、
前記第２の視覚的指示に前記第２の領域に対する第１の合焦の度合いに対応する第１のサイズを設定するステップと、
焦点のユーザ調節、および、前記第２の領域に対する前記第１の合焦の度合いから前記第１の合焦の度合いより高い前記第２の領域に対する第２の合焦の度合いまでの前記第２の領域に対する前記決定された合焦の度合いの対応する変化に応答して、前記第２の視覚的指示を前記第１のサイズより小さい第２のサイズまで変化させるステップと、をさらに含む、請求項１に記載の方法。
【請求項１４】
像の焦点の調節を支援する装置であって、
像を検出するために構成されている少なくとも１台のイメージセンサと、
前記像の領域に対する合焦の度合いを決定するためアルゴリズムを実行するために構成されている１台以上のプロセッサと、
前記像のグラフィカル表現を表示し、幾何学的図形を含む前記領域の前記合焦の度合いの視覚的指示を表示するために構成されている表示部と、を備え、
前記視覚的指示の第１のサイズが前記領域の第１の合焦の度合いに対応し、前記第１のサイズより小さい前記視覚的指示の第２のサイズが前記第１の合焦の度合いより高い前記領域の第２の合焦の度合いに対応するように、前記視覚的指示のサイズが前記領域の前記合焦の度合いと相関させられている、装置。
【請求項１５】
前記表示部は、デジタルカメラの電子表示部を含む、請求項１４に記載の装置。
【請求項１６】
前記１台以上のプロセッサは、リアルタイムで前記合焦の度合いを更新し、前記電子表示部は、前記合焦の度合いの変化に応答して更新された視覚的指示を提供する、請求項１４に記載の装置。
【請求項１７】
前記合焦の度合いの前記変化は、前記領域の前記第１の合焦の度合いから前記領域の前記第２の合焦の度合いまでであり、前記更新された視覚的指示は、１つ以上の中間サイズへの調節により前記第１のサイズから前記第２のサイズまでサイズを変化させ、前記中間サイズは、前記第１のサイズと前記第２のサイズとの間にあり、前記第１の合焦の程度と前記第２の合焦の程度との間の中間的な合焦の程度に対応している、請求項１６に記載の装置。
【請求項１８】
前記視覚的指示は、前記第１のサイズから前記第２のサイズまでの移行の全体を通じて現在の合焦の度合いの視覚的指示を提供する、請求項１７に記載の装置。
【請求項１９】
前記第１の合焦のレベルは、実質的に焦点が合っていない状態に対応し、前記第２の合焦のレベルは、実質的に焦点が合っている状態に対応している、請求項１４に記載の装置。
【請求項２０】
前記表示部は、前記像の選択された第１の部分の拡大グラフィカル表現を表示するために構成され、前記領域は、前記第１の選択された部分の内部にあり、前記視覚的指示は、前記拡大グラフィカル表現の内部に表示される、請求項１４に記載の装置。
【請求項２１】
前記選択された第１の部分と前記領域とのうちの１つ以上を指示するユーザからの入力を受信するために構成されているタッチ・スクリーン・インターフェースをさらに備える、請求項２０に記載の装置。
【請求項２２】
前記視覚的指示は、前記像の前記グラフィカル表現と重畳される、請求項１４に記載の装置。
【請求項２３】
前記視覚的指示の中心は、前記領域の中心と実質的に一致する、請求項１４に記載の装置。
【請求項２４】
前記視覚的指示の色が前記合焦の度合いの変化に応答して変化する、請求項１４に記載の装置。
【請求項２５】
前記表示部は、前記領域の前記合焦の度合いの第２の視覚的指示を表示するために構成されている、請求項１４に記載の装置。
【請求項２６】
前記第２の視覚的指示の色が前記合焦の度合いの変化に応答して変化する、請求項２５に記載の装置。
【請求項２７】
前記１台以上のプロセッサは、前記像の第２の領域に対する合焦の度合いを決定するためアルゴリズムを実行するために構成され、
前記表示部は、幾何学的図形を含む前記領域の前記合焦の度合いの第２の視覚的指示を表示するために構成され、
前記第２の視覚的指示の第１のサイズが前記第２の領域の第１の合焦の度合いに対応し、前記第２の視覚的指示の前記第１のサイズより小さい前記第２の視覚的指示の第２のサイズが前記第２の領域の前記第１の合焦の度合いより高い前記第２の領域の第２の合焦の度合いに対応するように、前記第２の視覚的指示のサイズが前記第２の領域の前記合焦の度合いに相関させられている、請求項１４に記載の装置。